(57)【要約】【課題】簡単に液体を詰め替えられるようにするとともに、取り外したキャップを装着する際に空気を導入する通路を容易かつ確実に確保できるようにする。【解決手段】液体を収容する容器本体１と、容器本体１の上面の容器口部２に取り外し可能に螺合するキャップ本体６、及びキャップ本体６にヒンジ部７により接続するキャップカバー８からなり、キャップカバー８による開閉面１１に、液体をシャワー状に散布するための複数の噴出穴１２、及び空気導入穴１３が形成されたヒンジキャップ３とを備える。容器本体１には、その内部の液体を収容する空間Ｓに対して上下で開口する空気導入路１６が設けられている。キャップ本体６には、空気導入穴１３に連通して容器本体１の内部に延出する空気導入管１５が設けられ、キャップ本体６を容器口部２に所定量だけ螺合させると、空気導入管１５が空気導入路１６の上側の開口に連通する。【選択図】図３
2013018517.tif 000002
【特許請求の範囲】
【請求項１】
液体を収容する容器本体と、
前記容器本体の上面の容器口部に取り外し可能に螺合するキャップ本体、及び前記キャップ本体のキャップカバーを具備し、前記キャップ本体の前記キャップカバーにより開閉される面に、前記容器本体に収容された液体をシャワー状に散布するための複数の噴出穴、及び空気導入穴が形成されたキャップとを備え、
前記容器本体には、その内部の液体を収容する空間に対して上下で開口する空気導入路が設けられており、
前記キャップの前記キャップ本体には、前記空気導入穴に連通して前記容器本体の内部に延出する空気導入管が設けられ、前記キャップ本体を前記容器口部に所定量だけ螺合させると、前記空気導入管が前記空気導入路の前記上側の開口に連通することを特徴とする液体収容容器。
【請求項２】
前記容器口部は、前記容器本体の上面に上方に突出するように筒状に成形され、
前記容器本体には前記容器口部の内側に膨出する膨出部が成形されており、その膨出部に前記上側の開口が上向きに形成されていることを特徴とする請求項１に記載の液体収容容器。
【請求項３】
前記容器本体の上面及び側面にそれぞれ把手が設けられており、これら把手に沿って前記空気導入路が形成されていることを特徴とする請求項１又は２に記載の液体収容容器。
【発明の詳細な説明】
【技術分野】
【０００１】
本発明は、例えば液体農薬や液体肥料を収容し、それを散布することのできる液体収容容器に関する。
【背景技術】
【０００２】
液体を収容し、それを散布することのできる液体収容容器として、例えば特許文献１に開示されたものがある。特許文献１に開示された除草剤等を収納するための包装用容器１００では、図５、図６に示すように、注ぎ口１０１に被せられた薄板状の蓋１０２に多数の穴１０３が設けられており、収納した液体を当該容器１００から直接シャワー状に散布することができる。容器１００の上部の把手１０４は持ち運びの際に、側面部の把手１０５は液体の散布の際に使用される。
【先行技術文献】
【特許文献】
【０００３】
【特許文献１】意匠登録第１４０４８４４号公報
【発明の概要】
【発明が解決しようとする課題】
【０００４】
近年では、環境保護等の観点から、液体洗剤やシャンプー等を収容する容器に関しては、液体を使い切ったら捨てるのではなく、液体を詰め替えることにより再利用することが一般的になっている。このように液体を詰め替えられるようにすることは、例えば家庭園芸で使用される液体農薬や液体肥料を収容する容器に関しても望まれている。
【０００５】
特許文献１に開示されているような従来の容器１００では、液体の詰め替えは想定されておらず、薄板状の蓋１０２が注ぎ口１０１の外縁に嵌め込まれて、容易に取り外しできないようになっている。
【０００６】
また、特許文献１に開示されているような従来の容器１００では、液体を散布するときの脈動を抑えるために、蓋１０２に空気導入穴１０６を形成するとともに、その空気導入穴１０６に連通する空気導入管１０７を容器の内部に延出させている。空気導入管１０７は、液体を散布する際に把手１０５を持って注ぎ口１０１を下向きに傾けたときに、その先端が液体の上方に位置するように、把手１０５側に湾曲させられている。
【０００７】
図５、図６に示すようなタイプの容器でも、蓋１０２を強引に取り外して液体を詰め替えることは不可能ではないが、液体で手が汚れたり、空気導入管１０７の向きを気にせずにユーザが蓋１０２を取り付けたりするおそれがある。
【０００８】
本発明は上記のような点に鑑みてなされたものであり、キャップを取り外し可能として簡単に液体を詰め替えられるようにするとともに、取り外したキャップを装着する際に空気を導入する通路を容易かつ確実に確保できるようにすることを目的とする。
【課題を解決するための手段】
【０００９】
本発明の液体収容容器は、液体を収容する容器本体と、前記容器本体の上面の容器口部に取り外し可能に螺合するキャップ本体、及び前記キャップ本体のキャップカバーを具備し、前記キャップ本体の前記キャップカバーにより開閉される面に、前記容器本体に収容された液体をシャワー状に散布するための複数の噴出穴、及び空気導入穴が形成されたキャップとを備え、前記容器本体には、その内部の液体を収容する空間に対して上下で開口する空気導入路が設けられており、前記キャップの前記キャップ本体には、前記空気導入穴に連通して前記容器本体の内部に延出する空気導入管が設けられ、前記キャップ本体を前記容器口部に所定量だけ螺合させると、前記空気導入管が前記空気導入路の前記上側の開口に連通することを特徴とする。
また、本発明の液体収容容器の他の特徴とするところは、前記容器口部は、前記容器本体の上面に上方に突出するように筒状に成形され、前記容器本体には前記容器口部の内側に膨出する膨出部が成形されており、その膨出部に前記上側の開口が上向きに形成されている点にある。
また、本発明の液体収容容器の他の特徴とするところは、前記容器本体の上面及び側面にそれぞれ把手が設けられており、これら把手に沿って前記空気導入路が形成されている点にある。
【発明の効果】
【００１０】
本発明によれば、容器本体の容器口部に取り外し可能に螺合するキャップを採用したので、簡単に液体を詰め替えることができる。しかも、キャップを容器口部に所定量だけ螺合させると、空気導入管が空気導入路に連通するようにしたので、取り外したキャップを装着する際に空気を導入する通路を容易かつ確実に確保することができる。
【図面の簡単な説明】
【００１１】
【図１Ａ】本実施形態に係る液体収容容器を示す平面図である。
【図１Ｂ】本実施形態に係る液体収容容器を示す正面図である。
【図１Ｃ】本実施形態に係る液体収容容器を示す左側面図である。
【図１Ｄ】本実施形態に係る液体収容容器を示す底面図である。
【図２】本実施形態に係る液体収容容器の断面斜視図である。
【図３】ヒンジキャップまわりの構成を示す断面斜視図である。
【図４】本実施形態に係る液体収容容器から液体をシャワー状に散布しているときの状態を説明するための図である。
【図５】従来の液体収容容器を示す図である。
【図６】従来の液体収容容器を示す図である。
【発明を実施するための形態】
【００１２】
以下、添付図面を参照して、本発明の好適な実施形態について説明する。
図１Ａ〜図１Ｄは本実施形態に係る液体収容容器を示す図であり、図１Ａが平面図、図１Ｂが正面図、図１Ｃが左側面図、図１Ｄが底面図である。また、図２は本実施形態に係る液体収容容器の断面斜視図、図３はヒンジキャップ３まわりの構成を示す断面斜視図である。本実施形態に係る液体収容容器は、家庭園芸で使用される液体農薬や液体肥料（以下、単に液体と称する）を収容するのに用いられる。
【００１３】
液体収容容器は、液体を収容する樹脂製の容器本体１と、容器本体１の容器口部２に装着される樹脂製のヒンジキャップ３とを備える。
【００１４】
容器本体１は、全体として上下に長い箱型を呈し、上部及び側面１ａに把手４、５が一体成形されている。上部の把手４は主に持ち運びの際に、側面１ａの把手５は主に液体の散布の際に使用される。また、容器本体１の上面には、把手５とは逆側の側面１ｂに近い位置に、上方に突出する筒状の容器口部２が一体成形されている。
【００１５】
ヒンジキャップ３は、図３に示すように、容器本体１の容器口部２に取り外し可能に螺合する筒状のキャップ本体６と、キャップ本体６にヒンジ部７により接続するキャップカバー８とからなる。本実施形態のヒンジキャップ３は、キャップ本体６の下端部がリング９と薄肉部１０で連結し、使用時はキャップ本体６を回転させて薄肉部１０を切断する、所謂バージンキャップとなっている。
【００１６】
キャップ本体６のキャップカバー８により開閉される面１１には、容器本体１に収容された液体をシャワー状に散布するための複数の噴出穴１２と、空気導入穴１３とが形成されている。噴出穴１２及び空気導入穴１３の周囲には液垂れを防ぐための環状壁部１４が立設されており、その内側において噴出穴１２は側面１ｂ側に、空気導入穴１３は側面１ａ側に配置される。
【００１７】
ヒンジキャップ３のキャップ本体６には、空気導入穴１３に連通し、容器本体１の内部に垂下する空気導入管１５が設けられている。空気導入管１５はヒンジキャップ３に一体成形されていてもよいし、別部材として空気導入穴１３に挿着するようにしてもよい。
【００１８】
また、図２、図３に示すように、容器本体１には、その内部の液体を収容する空間Ｓに対して上下で開口する空気導入路１６が形成されている。ここでいう上下とは、液体収容容器の底面を平面に置いた状態での上下を意味するものとする。空気導入路１６は、容器本体１の上面及び側面１ａに沿って、空間Ｓとは独立するかたちで形成されており、把手４の上側、把手５の外側を通るように配置される。容器本体１には容器口部２の内側に膨出する膨出部１７が一体成形されており、空気導入路１６は、膨出部１７で上向きに開口し（上側開口部１６ａと称する）、また、容器本体１の底に近い位置、本例では把手５の下側で開口する（下側開口部１６ｂと称する）。
【００１９】
そして、ヒンジキャップ３のキャップ本体６を容器口部２に所定量だけ螺合させて締め上げると、空気導入管１５が空気導入路１６の上側開口部１６ａに連通するようになっている。この場合に、例えばヒンジキャップ３及び容器本体１の所定の位置にマークを記しておき、キャップ本体６を容器口部２に所定量だけ螺合させたとき、すなわち空気導入管１５が空気導入路１６の上側開口部１６ａに連通したときにマークが一致するようにしてもよい。また、図３に示すように、空気導入管１５に対して上側開口部１６ａをやや大きめにしておき、空気導入管１５が空気導入路１６に連通しやすいようにしてもよい。
【００２０】
また、本実施形態では、空気導入管１５が上側開口部１６ａに直接連通する構成を示したが、例えば空気導入管１５を短くしてその先端に所定の形状のピースを設け、このピースを介して上側開口部１６ａに連通するようにしてもよい。例えば、本実施形態では空気導入管１５が垂下する位置に上側開口部１６ａが位置する例を示したが、空気導入管１５が垂下する位置と上側開口部１６ａの位置とがずれているような場合には、例えば空気導入管１５の先端に湾曲する筒状のピースを設けて、このピースを介して上側開口部１６ａに連通するようにすればよい。また、例えばピースの材質を空気導入管１５や膨出部１７よりも柔らかいものとし、このピースが膨出部１７の上面に密着して、空気導入管１５と上側開口部１６ａとを連通するような形態としてもよい。
【００２１】
以上のようにした液体収容容器により液体を散布するときには、図４に示すように、把手５を持って容器口部２を下向きに傾けると、容器本体１に収容された液体が噴出穴１２からシャワー状に噴出する。このとき、空気導入穴１３から空気が導入され、その空気が、空気導入管１５、上側開口部１６ａ、空気導入路１６を経て、下側開口部１６ｂから容器本体１内の液体の上方に形成される密封空間１８に導かれる。これにより、液体の水位が下がっても密封空間１８の気圧は一定に保たれ、脈動が生じることなくスムーズに液体を散布することができる。
【００２２】
なお、底面を平面に置いた状態（すなわち、容器口部２や把手４を上向きにした状態）で液体収容容器を置いているときには空気導入路１６にも液体が入り込んでいるが、図４に示すように把手５を持って容器口部２を下向きに傾ける過程で、空気導入路１６内の液体は主に下側開口部１６ｂから空間Ｓに流れ出て、空気導入路１６に空気が通るようになる。特に把手５の下側、すなわち空気導入路１６の下側が空間Ｓ側に向かうような形状になっているので、容器口部２を下向きに傾ける過程で、空気導入路１６内の液体が下側開口部１６ｂから空間Ｓに流れ出やすくなっている。
【００２３】
本実施形態に係る液体収容容器では、ヒンジキャップ３を容器口部２に取り外し可能に螺合する構成となっているので、ヒンジキャップ３を容易に取り外すことができる。したがって、液体で手が汚れることなく、簡単に液体を詰め替えることができる。
【００２４】
そして、ヒンジキャップ３のキャップ本体６を容器口部２に所定量だけ螺合させると、空気導入管１５が空気導入路１６の上側開口部１６ａに連通するので、取り外したヒンジキャップ３を装着する際に空気を導入する通路を容易かつ確実に確保することができる。
【００２５】
以上、本発明を実施形態と共に説明したが、本発明は上記実施形態にのみ限定されるものではなく、本発明の範囲内で変更等が可能である。例えば容器本体１及びヒンジキャップ３の大きさや形状等は一例に過ぎない。また、本実施形態ではヒンジキャップ３を例に説明したが、例えばキャップ本体に対してキャップカバーを螺合する形態のキャップであってもよい。
【産業上の利用可能性】
【００２６】
本発明は、液体農薬や液体肥料といった液体化学薬品だけでなく、液体一般を収容する液体収容容器に適用可能である。
【符号の説明】
【００２７】
１：容器本体、２：容器口部、３：ヒンジキャップ、４、５：把手、６：キャップ本体、７：ヒンジ部、８キャップカバー、１１：キャップ本体の面、１２：噴出穴、１３：空気導入穴、１５：空気導入管、１６：空気導入路、１６ａ：上側開口部、１６ｂ：下側開口部、１７：膨出部
【図１Ａ】
2013018517.tif 000003
【図１Ｂ】
2013018517.tif 000004
【図１Ｃ】
2013018517.tif 000005
【図１Ｄ】
2013018517.tif 000006
【図２】
2013018517.tif 000007
【図３】
2013018517.tif 000008
【図４】
2013018517.tif 000009
【図５】
2013018517.tif 000010
【図６】
2013018517.tif 000011